(57)【特許請求の範囲】
【請求項１】
建物の各階のエレベータ乗場に設けられた表示器を収納するボックスの表面を覆い、上下釦若しくは行先階指定釦が設けられたカバーと、
前記カバーの裏面に固定され、前記ボックスの内部表面から突設する突起に案内され前記カバーとともに引き出され収納される案内片と、
前記案内片に設けられ、前記カバーを前記ボックスから引き出した場合に、前記カバーを前記ボックスに収納する方向へ弾性力を発生させ、前記突起と係合することで前記カバーの引き出し方向への移動を止める第１の弾性体と、
前記案内片に設けられ、前記カバーを前記ボックスから引き出した場合に、前記案内片に設けられた穴を介して部分的に前記ボックスの外部に突出し前記ボックスの開口部と接触することで前記カバーの収納方向への移動を止める第２の弾性体と、
を備え、
前記第１の弾性体が前記突起と係合し前記弾性力を発生させた状態で前記第２の弾性体が突出することにより前記ボックスから前記カバーを引き出した状態で保持できることを特徴とするエレベータ保全装置。
【請求項２】
前記第１の弾性体は、前記第１の弾性体に形成された湾曲部及び傾斜部の有する前記ボックスの引き出し方向の伸び代により前記カバーを前記ボックスに収納する方向に働く前記弾性力を発生させ、
前記第２の弾性体の前記ボックスの外部に部分的に突出した一部は、前記ボックスの開口部と接触し、前記弾性力を受けて停止することを特徴とする請求項１に記載のエレベータ保全装置。
【請求項３】
前記第１の弾性体の両側にそれぞれ前記第２の弾性体を前記案内片に設けることを特徴とする請求項１または２に記載のエレベータ保全装置。
【請求項４】
前記ボックス内部表面の開口部付近に設置されるコネクタにソケットが外部から着脱可能な隙間を有することを特徴とする請求項１または２に記載のエレベータ保全装置。
【請求項５】
請求項１乃至３に記載のエレベータ保全装置が建物の各階のエレベータ乗場に設けられたことを特徴とするエレベータ装置。
【発明の詳細な説明】
【技術分野】
【０００１】
本発明は、エレベータの乗場に設けられた乗場位置表示器のボックス内に取り付けられているコネクタに携帯端末を接続し、エレベータの保全作業を行うためのエレベータ保全装置に関するものである。
【背景技術】
【０００２】
建物の各階床には乗場の位置表示器が設置され、位置表示器は、壁に埋設されたボックス、ボックス内部の側面に取り付けられたコネクタ、ボックスに収納される表示器、ボックスを覆うカバー等から構成されている。従来は、エレベータの保全作業を行う際、ボックスからカバーをいったん取り外しボックス内部の上下端にばね板をそれぞれ設け、この
ばね板に係止したボックス側保持具を形成する。さらに、カバーの裏面側に、厚みが徐々に減少したテーパー部をビスなどの固定手段で固定し、このテーパー部を受入れ機構を有するボックス側保持具に堅く挿入することによりカバーをボックスから所定長突出させた状態で保持している（例えば、特許文献１参照）。
【０００３】
また、エレベータの乗場に設置された位置表示器において、開口する位置表示器のボックスの内底に突起を設け、ボックスを覆うカバーの裏面に固定された案内片が突起と嵌合してカバーの位置を案内するとともに、カバーの裏面に固定された弾性体がボックス内底に突設された突起の略くの字の部分と係合して、これを押圧してカバーをボックスに収納した状態で保持する構成としている。もし仮に突起が弾性体の押圧部から外れても弾性体の受部に掛止めされるためカバーの落下を防止することができる。また、保守等によりカバーを外す必要がある場合には、突起が弾性体の受部に掛止めされる位置までカバーを引き出し、突起に掛止めしている弾性体をドライバー等で外側から押すことによりカバーの取り外しが可能となる（例えば、特許文献２参照）。
【０００４】
【特許文献１】特開２００１−３１６０４８号広報（００１１〜００１６段落、第１図）
【特許文献２】特開平２−２７６７８２号広報（第１、２頁、第１、２図）
【発明の開示】
【発明が解決しようとする課題】
【０００５】
しかしながら、従来の保全装置では、保全作業を行う際、位置表示器のカバーをいったんボックスから取り外し、ボックス側保持具及びテーパー部を取り付ける必要があるため、作業性が悪いという問題があった。また、乗場呼び装置のカバーをボックスから取り外して使用するため、誤ってカバーが落下してしまうことがあった。さらに、カバーの裏面に固定されたテーパー部とボックス側保持具との保持方法は、テーパー部分の先端をボックス側保持具の受入部に挿入するだけであるため、いたずら等により容易にカバーをボックスから取り外されてしまうといった問題があった。
【０００６】
また、従来の保全装置では、作業者が位置表示器のボックス内の点検作業を行うためにカバーをボックスから引き出した場合に、カバーをボックスから引き出す方向には保持されるが、カバーを収納する方向には保持されず乗場位置表示器の釦が押せないため、ボックス内の保守点検と同時に利用者がエレベータを利用できないといった問題があった。
【０００７】
この発明は、上述のような課題を解決するためになされたもので、乗場位置表示器のボックスからカバーを突出させた状態で保持することができるため、ボックス内における保守作業中でもエレベータの利用者が引き続きエレベータを利用することができることを目的としたエレベータ保全装置を得るものである。
【課題を解決するための手段】
【０００８】
この発明に係るエレベータ保全装置においては、建物の各階のエレベータ乗場に設けられた表示器を収納するボックスの表面を覆い、上下釦若しくは行先階指定釦が設けられたカバーと、カバーの裏面に固定され、ボックスの内部表面から突設する突起に案内されカバーとともに引き出され収納される案内片と、案内片に設けられ、カバーをボックスから引き出した場合に、カバーをボックスに収納する方向へ弾性力を発生させ、突起と係合することでカバーの引き出しを止める第１の弾性体と、案内片に設けられ、カバーをボックスから引き出した場合に、案内片に設けられた穴を介して部分的にボックスの外部に突出させボックスの開口部と接触させることでカバーの収納方向への移動を止める第２の弾性体とを備え、第１の弾性体が突起と係合し弾性力を発生させた状態で第２の弾性体が突出することによりボックスからカバーを引き出した状態で保持できるものである。
【発明の効果】
【０００９】
この発明は、乗場位置表示器のカバーの裏面に案内片を設けるとともに、案内片にカバーをボックスから引きだす方向に対して規制をかける第１の弾性体とカバーをボックスから収納する方向に対して規制をかける第２の弾性体を設けることにより、ボックスからボックスを突出させた状態で保持することができる。このため、ボックス内における保守作業中でもエレベータの利用者が引き続きエレベータを利用することができる。
【発明を実施するための最良の形態】
【００１０】
実施の形態１．
まず、本発明のエレベータ保全装置の構成について説明する。図１は建物の各階にあるエレベータ乗場を示す正面図である。１５はエレベータのかご室、１３は各階に設けられたかごを呼ぶための乗場位置表示器に保全作業を行うための機構を形成したエレベータ保全装置である。エレベータ保全装置１３は、インジケータ及び上下釦の表示器、表示器を収納するボックス、ボックスの開口部を覆うためのカバー、カバーをボックスより引き出した状態で保持するための機構などから構成され、壁１４の一部に形成されている開口部にボックスが埋め込まれている。通常時は図１に示すような状態でエレベータの利用者が乗場位置表示器を利用するが、ボックス内の保全作業を行う際は、エレベータ保全装置１３のカバーをボックスから引き出した状態で行う。
【００１１】
図２は図１のエレベータ保全装置１３の正面拡大図であり、本発明のエレベータ保全装置を示したものである。また、図３はエレベータ保全装置の断面図であって図２に示したエレベータ保全装置のＡ−Ａ断面図である。さらに、図４はエレベータ保全装置下部の要部構成を示す断面図であって図３に示したエレベータ保全装置のＢ−Ｂ断面図である。また、図５はエレベータ保全装置の下部正面図であって図２に示したエレベータ保全装置下部の正面拡大図である。また、図６はエレベータ保全装置下部の要部断面図であって図５に示したエレベータ保全装置下部の正面拡大図のＣ−Ｃ断面図である。また、図７はエレベータ保全装置下部の別の要部断面図であって図５に示したエレベータ保全装置下部の正面拡大図のＤ−Ｄ断面図を表す。
【００１２】
図２及び図３において、１はエレベータ保全装置のカバー、２はカバーに挿嵌された行先階を表示するインジケータ、４及び５はカバーに挿嵌されたＵＰ釦及びＤＯＷＮ釦である。なお、これら上下釦の代わりに行先指定階釦が設けられていても良い。３はインジケータ２やＵＰ釦４、ＤＯＷＮ釦５等を収納するボックスであり壁１４に埋設されている。６はボックス内部側面の壁側付近に設けられるコネクタであり、エレベータの機械室等に設けられるとともにインジケータ２、ＵＰ釦４、ＤＯＷＮ釦５、コネクタ６等から接続される、ボックス３内に図示しない制御装置へと接続されている。そして、コネクタ６は制御装置に記憶された、例えば、運転性能診断、ブレーキ性能診断、戸開閉診断、非常用バッテリー診断、かご制御機器機能診断、外部連絡装置機能診断、積載質量検出センサー診断等の結果に基づくデータの読み出しやＲＯＭの書き込みを行う携帯端末装置１２を接続するためのものである。また、８はカバー１の裏面の上下端にそれぞれ固定されたＬ字型の案内片であり、Ｌ字型の一片がカバー１の上下端に固定され、他片がボックス３内部の上下面と摺接する構造となっている。なお、案内片８をカバー１の裏面の上下端に固定する例を示したが、カバー１裏面の左右端に案内片８を固定し、ボックス３内部の側面の一部分に摺接するような構成としても良い。
【００１３】
カバー１の上下端にそれぞれ固定される案内片８は同様の構成であるためカバー１裏面の下端に設けられた案内片を例に以下説明する。図４乃至図６において、カバー１の裏面の下端から突設する２つのネジ１ａが、Ｌ字状の案内片８の一片である案内片一片８ａに空く２つの穴に挿嵌され、挿嵌されたネジ１ａの先端にはそれぞれナット７が取り付けられている。Ｌ字状の案内片他片８ｂは、カバー１の高さ方向に対して垂直な方向に伸び、ボックスの内部下面３ｂと摺接するようになっており、保全作業を行わない場合にボックス３内に収納されている。保全作業を行う際には、ボックス３からカバー１を引き出し、それとともに案内片８もボックスより引き出される。図４において、案内片他片８ｂの中央部には、ボックス３の内部下面から突出する突起３ａに嵌合し、案内片８を案内するための長尺穴８ｅが空いている。案内片他片８ｂの表面中央には長尺穴８ｅを一部覆うように長尺穴に沿うように第１の弾性体９が設けられている。第１の弾性体９の一端は、カバー１と案内片一片８ａの間に配置されるとともに案内片一片８ａとナット等により固定されており、他端は固定されないフリー端となっている。また、第１の弾性体９は、略くの字で曲げられた傾斜部９ｂと略Ｕの字で湾曲した湾曲部９ａにより構成される。略くの字の傾斜部９ｂは突起３ａを押圧する押圧部であり、略Ｕの字の湾曲部９ａは突起３ａの受部をなしている。第１の弾性体９は、カバー１を引き抜く際にカバー１がボックス３からはずれ、カバー１が壁から床面に落下しないようにカバー１に固定されて引き出される引き出し防止のための弾性体であり、カバー１をある程度引き抜いた位置でボックス３に設けた突起３ａに引っかかり止まる構造である。もっとも、この第１の弾性体９は、湾曲部９ａが突起３ａに引っ掛かった後にさらに若干の引き出し量が可能なように、略くの字で曲げられた湾曲部９ａと傾斜部９ｂが形成されているため、カバー１を引き出す方向と反対方向であるカバー１を収納する方向に弾性力を発生させる引き出し方向への伸び代が存在し、引き出し量である引き出し寸法は伸び代分だけ引き出し方向にさらに変化できる構造である。
【００１４】
一方、図４及び図７において、カバー１をボックス３から引き出した後に、カバーあるいは押し釦を押しただけではカバーがボックスに収納する方向に動かないようにするための第２の弾性体１０が案内片他片８ｂの表面に設けられている。この位置決め弾性体である第２の弾性体１０は、弾性体先端片１０ａ、弾性体先端片１０ａに対しおよそ直角方向に設けられた弾性体一片１０ｂ、弾性体一片１０ｂとおよそ直角方向、つまり弾性体先端片１０ａと平行に設けられた弾性体他片１０ｃからなる断面Ｚ形状の弾性体である。また、弾性体他片１０ｃは固定端となっており、弾性体他片１０ｃに空けられた穴８ｃに、案内片他片８ｂからカバー１の高さ方向に突出するネジ８ｄが挿嵌されている。穴８ｃは、案内片８を切り欠いた穴でも良いし、切り抜いた穴でも良いし、部分的に切り落とした穴でも良い。そして、ネジ８ｄにナット１１を取り付けることにより案内片他片８ｂと案内片８を固定している。図７に示す弾性体１０がボックス３に収納されている場合の第２の弾性体１０の形状は、弾性体他片１０ｃの一部が固定されているため、断面Ｚ形状の一部が変形した形状となっている。第２の弾性体１０は、ボックス内部下面３ｂから押圧を受けて紙面のおよそ下向きに弾性力を有する。そして、ボックス内部下面がその弾性力を受けるため、断面Ｚ形状の一部が変形した状態を保ちボックス内部に収まっている。このとき、弾性体先端片１０ａは案内片他片８ｂに設けられた穴８ｃを介してボックス内部下面３ｂと摺接している。ここで、第２の弾性体１０の有する弾性力の大きさは主に弾性体他片１０ｃの曲げ変形量及び材料に依存する。つまり、弾性力をあまり発生しない弾性体先端片１０ａや弾性体一片１０ｂは例えば金属などの剛体でも構わない。さらに、弾性体一片１０ｂがボックス外部に出て、カバー１がボックスを覆う開口部の端面または壁と接触し、カバー１がボックス３から引き出された状態で保持された後、カバー１をボックスへ収納する方向にカバー１を移動するために、弾性体先端片１０ａをカバー１の高さ方向に指で押し上げながらカバー１をボックス３の方向に押しあげる必要があるところ、指が弾性体先端片１０ａの先端へ接触することによる怪我を防止するために、その先端に被着物を設けても良い。
【００１５】
作業者が保守作業を行う際には、カバー１がボックス３から引き出された状態で手を離してもボックス３への収納方向に移動しない、つまり、保持されるまでカバー１をボックス３から引き出す。この保持される引き出し量はあらかじめ設定されており、上記第１の弾性体９の伸び代の範囲内、つまり弾性力がかかった状態でカバー１をボックス３から突出した位置で保持される引き出し量となる。このとき、弾性体１０の一片である弾性体一片１０ｂが壁またはカバー１とボックス３の接触面である開口部端面に引っかかり弾性体９の弾性力を受けているため、カバー１をボックス３から引き出し、突出させた状態で保持することが可能となる。カバー１をボックス３から引き出した状態で保持する引き出し量は、携帯端末とコネクタを接続するケーブルのソケットをボックスの内部側面コネクタがボックス内部側面の壁側端面近くに設けたコネクタ６にボックス３の外部からセットできる程度の隙間を設ければよい。この隙間は、携帯端末の信号線がフレキシブルなものであればソケットの高さの２倍程度あれば十分であるし、ソケットとコネクタ６との接続構造に抜け防止があるなどにより特殊構造のものであったとしても、人の手がこの隙間に入る程度の引き出し量があればコネクタとソケットの結合と分離が簡単になり保全工事に手間取ることも無い。なお、図８に示すようにカバー１の引き出し量は、カバーに固定される案内片８がカバーの上下端に設けられ、ボックス３と摺接する構造となっているため強度が高く、カバーの引き出し量は多くてもよい。
【００１６】
次に上述したエレベータ保全装置の動作について説明する。
図８乃至図１１は作業者がエレベータ保全装置の点検のためにカバー１をボックス３から引き出し、第１の弾性体と第２の弾性体によりカバー１とボックス３が引き出し保持された状態を示すものである。図８は図４と対応するエレベータ保全装置下部の要部構成を示す断面図であって、ボックス３からカバー１が真っ直ぐ引き出された状態のＢ−Ｂ断面図、図９は図６と対応するエレベータ保全装置下部の別の要部構成を示す断面図であってボックス３からカバー１が真っ直ぐ引き出された状態のＣ−Ｃ断面図、図１０は図７と対応するエレベータ保全装置下部の別の要部構成を示す断面図であってボックス３からカバー１が真っ直ぐ引き出された状態のＤ−Ｄ断面図、図１１はエレベータ保全装置の斜視図であってボックス３からカバー１が真っ直ぐ引き出された状態の全体構成を表す斜視図、図１２は図１１に示したエレベータ保全装置の斜視図の要部構成を示す斜視図であってボックス３からカバー１が真っ直ぐ引き出された状態の要部構成の斜視図である。
【００１７】
カバー1をボックス3から引き出すに従い、カバーに固定された案内片8は、ボックスの内部下面と摺接し、案内片の長尺穴８ｅに嵌合する突起３ａに案内され引き出される。この動きの間、案内片８に固定された第２の弾性体１０のフリー端に設けられた先端片１０ａは案内片に開口された穴８ｃを通してボックス３の内部下面３ｂに接触したまま動く。カバー１を少し引き出す場合には、突起３ａと弾性体傾斜部９bが係合しカバーを引き出す方向に弾性力の分力がかかるため、係合している状態でカバーから手を離すと突起３ａは元の位置に戻されカバー１はボックスへ収納する方向へ移動する。手をカバーから離すことなくさらに力を加えると、突起３ａにより第１の弾性体９の傾斜部９ｂが図８の右方向に押圧され変形し、突起３ａは傾斜部の屈折部分を通過する。一方、図８に示すように弾性体一片１０ｂは自身がボックスの外部まで引き出されるまでは図７に示した断面Ｚ形状の一部が変形した形状を保つ。
【００１８】
図１３は図４に対応するエレベータ保全装置下部の要部構成を示す断面図であってボックス３からカバー１が左右に回動しながら引き出された状態を示すＢ−Ｂ断面図である。通常は作業者がカバー１をボックスからおおよそ真っ直ぐ引き出すことが想定されるが、案内片８は引き出し途中において位置決めされていないため、図１３に示すように左右に回動させながらカバー及び案内片を引き出すことが可能である。したがって、右方向に回動させながらカバーを引き出した場合、コネクタ６がボックス内部側面の前方に配置され、かつカバーを右方向に回動させながら引き出すことでカバーをボックスから真っ直ぐ引き出した場合と比較してコネクタに携帯端末１２から繋がるケーブルを入線する際に手を差し込むスペースが拡張されることにより、作業者がコネクタ６に配線用ケーブルを入線しやすくなり作業性が向上する。
【００１９】
図８、図９、図１２において、カバーを一定位置まで引き出すと、第１の弾性体９の湾曲部９ａと突起３ａが係合し、おおよそカバーの引き出しは止まる。ここからさらに力を加えカバー１を第１の弾性体の伸び代分引き出し量を変化させた位置まで引き出すと、第１の弾性体９の形状が変化しカバー１の収納する方向に弾性力が発生する。また、第２の弾性体１０について、ボックスの内部下面３ｂの影響で変形していた弾性体他片１０ｃは弾性力により断面Ｚ形状に戻ろうとし、弾性体のフリー端に設けられた先端片１０ａが図１０、図１２に示すようにボックス内部から出ると、弾性体１０の弾性力により穴８ｃからボックス底面方向、つまりボックスの外部に突出し、ボックスの内部下面３ｂよりも低い位置に突出することになる。なお、ここでは先端片１０ａがボックス外部に突出する例を挙げたが、第２の弾性体１０の中間部分など、弾性体１０の一部であれば先端片でなくても当然良い。そして、先端片１０ａに対し垂直に設けられた弾性体一片１０ｂとボックス開口部端面が接触する。このとき、弾性体10が有していた弾性力はなくなり、それとともに弾性体他片１０ｃの表面とボックス３の内部下面はおよそ平行となる。すなわち、第２の弾性体１０は断面Ｚ形状となる。この弾性体他片１０ｃが断面Ｚ形状に戻り壁またはボックス開口部端面に接触するとともにカバー1をボックスから引き出した状態で保持される位置が、上記の第１の弾性体９の湾曲部９ａと突起３ａが係合してから伸び代だけカバーを引き出すまでの間となるよう設定してある。これにより、この先端片１０ａがボックス３の外側であって、弾性力によりボックスの内部下面３ｂよりも低い位置に突出した時点で、引き出しを続けていたカバーから手を離すと引き出し防止のための第１の弾性体９の弾性力によりカバー１が収納する方向に戻ろうとしても、あるいは、上下釦を押したとしても、あるいは、カバー１を押したとしても、位置決めのための第２の弾性体１０の一片１０ｂが壁またはボックス開口部端面に引っかかりカバーを収納する方向へは動かなくなり、カバー１とボックス３は保持される。
【００２０】
カバー１をボックス３に収納する際には、カバーがボックスから突出した状態から弾性体先端片を図１０に示す矢印の方向に指で押し弾性体他片１０ｃを変形させ、弾性体先端片１０ａをボックスの内部下面よりも高い位置まで指で押し上げた後に、カバー１を収納方向に押すことで位置決めのための第２の弾性体１０をボックス内部に収めることができる。その結果、カバー１をボックス３に収納することができる。弾性体先端片１０ａがボックス３の外側であって、カバー１、すなわち、案内片８の引き出し量を引き出し防止のための第１の弾性体９の伸び代の範囲に設定しておくと、カバー１を引き出す際に引き出し力の変化により引き出し位置の目安になるし、また、カバーを収納させるためにボックス外部に突出した弾性体先端片１０ａに指で力を加えボックスの内部下面３ｂの高さまで押し上げるだけで、引き出し防止のための第１の弾性体９の伸び代分を戻そうとする弾性力によりカバー１は自動的に戻されるので、カバーを閉める際に突出した弾性体先端片１０ａに力を加えるだけでよくそれ以外の余計な手間は不要となる。
【００２１】
また、エレベータ保全装置の上下釦の交換等による保守作業の発生によりカバーをボックスから取り外す必要が生じた場合には、カバーをボックスから引き出した状態で、引き出し防止用の第１の弾性体９にドライバー等を挿入し、押圧させ突起３ａと係合している第１の弾性体の湾曲部９ａを突起３ａから外すことにより、そのままカバー１をボックス３から取り外すことができる。
【００２２】
なお、上記では位置決めのための第２の弾性体１０が案内片８に１つ設けられている場合について説明したが、第２の弾性体１０が案内片に２つ設けられていても良い。例えば、長尺穴８ｅの左右両側にそれぞれ設けるとカバー１がボックスから引き出されたカバー１を収納する方向に強く押した場合に、第２の弾性体の一片１０ｂと壁の接触部分を中心に右に回動してしまう可能性があるのを防ぐことができる。同様に、カバー１の引き出し途中も案内片８を位置決めするために、案内片の幅をボックス３の幅と近似させてもよい。これにより、カバー１を真っ直ぐ引き出すことができ案内片がカバー収納時、カバー引き出し途中、カバー引き出し後全てにおいて位置決めされるため、カバーがボックスから引き出された状態からボックスに収納する際に左右に回動する恐れがなくなる。
【００２３】
以上より、上記ボックス内保全作業を行うためにカバーを引き出すと、カバー１をボックス３から引き出す方向に対するストッパーとカバーをボックスに収納する方向に対するストッパーが同時に働くため引き出した状態のまま保持することができるため、エレベータ保全装置の釦が固定され容易に押すことができるため、保守作業中でもエレベータの利用者が通常時と同様に引き続きエレベータを利用することができる。
【００２４】
また、カバーをボックスから引き出した状態で保持することができるため、作業を行う際、カバーの取り外しの必要がなくなり作業性が向上する。
【００２５】
さらに、カバーが引き出された状態において、弾性体の湾曲部９ａが突起３ａと係合するため、カバーの落下による機器の破損や故障、さらには床等の意匠面の損傷を防止することができる。
【００２６】
カバー１がボックス３に収納されている状態からカバー１を軽く引き出すと、突起３ａと第１の弾性体９bが係合し弾性力によりカバー１とボックス３は密着しカバーは収納されるためエレベータの振動等によってカバー１がボックス３から自然に引き出されることはない。
【００２７】
本発明のエレベータ保全装置は、２つの弾性体によってカバーの位置を決めることができるため、最小限の設計で装置を作ることができ、組み立てコストを低減できる。
【図面の簡単な説明】
【００２８】
【図１】この発明の実施の形態１を示すエレベータ保全装置が埋設されているエレベータ乗場の正面図である。
【図２】この発明の実施の形態１を示すエレベータ保全装置の正面図である。
【図３】この発明の実施の形態１を示すエレベータ保全装置の断面図である。
【図４】この発明の実施の形態１を示すエレベータ保全装置の要部構成を示す断面図である。
【図５】この発明の実施の形態１を示すエレベータ保全装置の要部正面図である。
【図６】この発明の実施の形態１を示すエレベータ保全装置の別の要部断面図である。
【図７】この発明の実施の形態１を示すエレベータ保全装置の別の要部断面図である。
【図８】この発明の実施の形態１を示すエレベータ保全装置のカバーをボックスから真っ直ぐ引き出したときの要部断面図である。
【図９】この発明の実施の形態１を示すエレベータ保全装置のカバーをボックスから真っ直ぐ引き出したときの別の要部断面図である。
【図１０】この発明の実施の形態１を示すエレベータ保全装置のカバーをボックスから真っ直ぐ引き出したときの別の要部断面図である。
【図１１】この発明の実施の形態１を示すエレベータ保全装置のカバーをボックスから真っ直ぐ引き出したときの斜視図である。
【図１２】この発明の実施の形態１を示すエレベータ保全装置のカバーをボックスから真っ直ぐ引き出したときの要部拡大図である。
【図１３】この発明の実施の形態１を示すエレベータ保全装置のカバーをボックスから右に回動させながら引き出したときの要部断面図である。
【符号の説明】
【００２９】
１    カバー
１ａ    ネジ
２    インジケータ
３    ボックス
３ａ    突起
３ｂ    ボックス内部下面
４    ＵＰ釦
５    ＤＯＷＮ釦
６    コネクタ
７    ナット
８    案内片
８ａ    案内片一片
８ｂ    案内片他片
８ｃ    穴
８ｄ    ネジ
８ｅ    長尺穴
９    第１の弾性体
９ａ    弾性体湾曲部
９ｂ    弾性体傾斜部
１０    第２の弾性体
１０ａ    弾性体先端片
１０ｂ    弾性体一片
１０ｃ    弾性体他片
１１    ナット
１２    携帯端末装置
１３    エレベータ保全装置
１４    壁
１５    かご室
【図１】
0005454365.tif 000002
【図２】
0005454365.tif 000003
【図３】
0005454365.tif 000004
【図４】
0005454365.tif 000005
【図５】
0005454365.tif 000006
【図６】
0005454365.tif 000007
【図７】
0005454365.tif 000008
【図８】
0005454365.tif 000009
【図９】
0005454365.tif 000010
【図１０】
0005454365.tif 000011
【図１１】
0005454365.tif 000012
【図１２】
0005454365.tif 000013
【図１３】
0005454365.tif 000014